(57)【要約】  本発明は、槽の底部から送風する洗浄乾燥一体型パルセーター式洗濯機及びその制御方法に関する。槽の底部から送風する洗浄乾燥一体型パルセーター式洗濯機は、キャビネットと、外槽と、内槽と制御システムと、を備える。外槽の底部に送風弁部材と、送風弁モーターとを備える送風システムが設置され、乾燥モジュールの送風口は、接続管を介して送風弁部材に接続され、熱風経路が形成され、制御システムは乾燥モジュール、送風弁部材、温度及び湿度を制御し、下部から上部へ内槽に送風される。洗浄のときに洗浄水を加熱することによって、洗浄率を向上し、乾燥のときに衣類をタンブルすることによって、乾燥効率を向上させ、しわを減らし、ユーザの個別のニーズを満たすことができる。【選択図】図３
2021504012.tif 000002
【特許請求の範囲】
【請求項１】
パルセーターの支持部材としてのキャビネットと、
頂部に進水口と、送風口及び排気口を有する乾燥モジュールと、を有し、底部に排水システムと、駆動システムと、を有し、前記キャビネット内に配置された外槽と、
底部にパルセーターが取り付けられ、前記外槽内に配置された内槽と
前記キャビネットの上部の制御盤座に取り付けられ、プログラム制御、温度及び湿度を監視するための制御システムと、を備える、槽の底部から送風する洗浄乾燥一体型パルセーター式洗濯機であって、
前記外槽の底部に送風弁部材と、送風弁モーターと、を備える送風システムが設置され、
前記外槽の底部に前記送風弁部材に接続されている送風口が開設され、
前記乾燥モジュールの送風口は、接続管を介して前記送風弁部材に接続され、熱風経路が形成され、下部から上部へ前記内槽に送風され、
前記制御システムは、前記送風弁部材のスイッチを制御することを特徴とする槽の底部から送風する洗浄乾燥一体型パルセーター式洗濯機。
【請求項２】
前記送風弁部材は、弁体と、弁プラグと、弁バネと、引張りバネと、弁管と、弁カバーと、連結アームと、を備え、前記弁体には、上、下、水平の３方向にノズルが設けられており、それぞれ前記外槽の送風口、前記接続管、前記弁カバーに接続されていることを特徴とする請求項１に記載の槽の底部から送風する洗浄乾燥一体型パルセーター式洗濯機。
【請求項３】
前記連結アームの一端が前記引張りばねに接続され、他端が前記送風弁モーターに接続され、前記連結アームの開け距離は前記弁体の下部管口の直径以上であることを特徴とする請求項２に記載の槽の底部から送風する洗浄乾燥一体型パルセーター式洗濯機。
【請求項４】
前記送風弁モーターが作動しないとき、前記弁体の下部管口が前記弁プラグによって遮断され、前記弁体の上部管口に導通しておらず、前記送風弁モーターが作動するとき、前記弁プラグや前記弁バネが圧縮されて短くなり、前記弁体の前記下部管口が前記弁体の前記上部管口に導通していることを特徴とする請求項２に記載の槽の底部から送風する洗浄乾燥一体型パルセーター式洗濯機。
【請求項５】
前記接続管には、エチレンプロピレンジエンモノマーの耐熱性材料が用いられることを特徴とする請求項２に記載の槽の底部から送風する洗浄乾燥一体型パルセーター式洗濯機。
【請求項６】
前記乾燥モジュールの送風口が上部送風口に分岐し、前記上部送風口が前記内槽に連通し、上部から下部へ前記内槽に送風することを特徴とする請求項１に記載の槽の底部から送風する洗浄乾燥一体型パルセーター式洗濯機。
【請求項７】
洗浄プログラムと、すすぎプログラムと、脱水プログラムと、乾燥プログラムと、を含み、請求項１に記載の槽の底部から送風する洗浄乾燥一体型パルセーター式洗濯機の制御方法であって、
ユーザが乾燥機能を選択するとき、前記乾燥プログラムには以下のステップが含まれる、即ち、
Ｈ１、前記乾燥プログラムが起動し、前記乾燥モジュールが作動を開始し、熱風が発生する；
Ｈ２、同時に前記制御システムがコマンドを発信し、前記送風弁モーターが作動し、前記送風弁部材が開かれる；
Ｈ３、熱風が前記熱風経路を通って下部から上部へ内槽に送風され、衣類を乾燥させる；
Ｈ４、前記制御システムは、乾燥が完了するまで乾燥の度合を監視する、ことを特徴とする槽の底部から送風する洗浄乾燥一体型パルセーター式洗濯機の制御方法。
【請求項８】
洗浄プログラムと、すすぎプログラムと、脱水プログラムと、乾燥プログラムと、を含み、請求項１に記載の槽の底部から送風する洗浄乾燥一体型パルセーター式洗濯機の制御方法であって、
前記洗浄プログラムが加熱洗濯機能を有し、ユーザが加熱洗濯機能を選択するとき、前記洗浄プログラムには以下のステップが含まれる、即ち、
Ｘ１、前記洗浄プログラムが起動し、前記乾燥モジュールが作動を開始し、熱風が発生する；
Ｘ２、同時に前記制御システムがコマンドを発信し、前記送風弁モーターが作動し、前記送風弁部材が開かれる；
Ｘ３、熱風が前記熱風経路を通って下部から上部へ内槽に送風され、槽内の洗浄水を加熱する；
Ｘ４、前記制御システムは、洗浄水の温度を監視して、設定値３０℃に到達したとき、洗浄が開始する、ことを特徴とする槽の底部から送風する洗浄乾燥一体型パルセーター式洗濯機の制御方法。
【請求項９】
前記加熱洗浄プロセスにおいて、前記制御システムが送風の風速を制御し、風力の大きさは水位の高さによって決められ、風力の範囲は３Ｎ〜１０Ｎであることを特徴とする請求項８に記載の槽の底部から送風する洗浄乾燥一体型パルセーター式洗濯機制御方法。
【請求項１０】
温度センサと、湿度センサをさらに備え、前記乾燥モジュールが作動するとき、前記温度センサは、内槽内の温度をリアルタイムで検出し、温度が設定値６０℃を超えると、前記制御システムが前記乾燥モジュールの排気温度を下げるか、前記乾燥モジュールが動作を停止し、前記湿度センサの抵抗値が無限に達するとき、前記乾燥モジュールは動作を停止する、ことを特徴とする請求項７又は８に記載の槽の底部から送風する洗浄乾燥一体型パルセーター式洗濯機制御方法。
【発明の詳細な説明】
【技術分野】
【０００１】
本発明は、洗濯機および制御方法に関し、特に、槽の底部から送風する洗浄乾燥一体型パルセーター式洗濯機の制御方法に関する。具体的には、一体型洗浄乾燥機が乾燥するとき、熱風が下部から上部へ内槽に流入して乾燥し、一体型洗濯乾燥機が加熱洗浄を選択するとき、熱風が下部から上部へ内槽に流入して洗浄水を加熱する。
【背景技術】
【０００２】
現在、洗濯機は広く使用されており、洗濯機には、ドラム式洗濯機、パルセーター式洗濯機、攪拌式洗濯機、両動力式洗濯機などがある。
【０００３】
乾燥機能付きの製品には、単独の乾燥機、洗浄乾燥一体型ドラム式洗濯機、洗浄乾燥一体型パルセーター式洗濯機がある。
【０００４】
洗濯乾燥一体型パルセーター式洗濯機はアジア市場に適しているが、洗浄乾燥一体型パルセーター式洗濯機が大量の衣類を乾燥しているとき、衣類のタンブルが不十分であるために、乾燥時間が長すぎ、乾燥効率が低いことがユーザから報告されている。また、洗浄プログラムでは、粉末洗剤が完全に溶解せず、洗濯物がきれいに洗浄できず、洗濯時間が長すぎる。
【０００５】
図１に示すように、従来の洗浄乾燥一体型パルセーター式洗濯機の送風口と排気口はともに内槽の上部に位置し、パルセーター式洗濯機の上部から内槽に送風され、すべての衣類は槽の下部に積み重ねられるか、衣類は槽の側壁に貼り付けられる。
【発明の概要】
【発明が解決しようとする課題】
【０００６】
内槽の上部から吹き出された熱風は、適時に十分に利用することができずに排気口から循環して排気されるため、乾燥効率が低い。一方、熱風はパルセーター式洗濯機の上部から内槽に流入し、衣類を吹き出されることができず、乾いた衣類にしわが残る。
【０００７】
本発明は、従来技術における上記の欠点に基づいて、洗濯乾燥一体型パルセーター式洗濯機の乾燥時の低効率の問題、衣類にしわが残る問題、およびきれいに洗濯できない問題を解決する。
【０００８】
本発明の目的は、乾燥および／または洗浄のときに、槽の底から熱風が送風され、熱風は下部から上部へ内槽に流入し、乾燥効率および／または洗浄率を改善し、衣類のしわを減らすことである。
【課題を解決するための手段】
【０００９】
本発明の目的を達成するために、本発明は以下の技術的解決策を採用する。
【００１０】
槽の底部から送風する洗浄乾燥一体型パルセーター式洗濯機は、パルセーターの支持部材としてのキャビネットと；キャビネット内に配置された外槽と、外槽の頂部に進水口と、送風口と排気口を有する乾燥モジュールと、を有し、外槽の底部に排水システム、と駆動システムと、を有する；前記外槽内に配置された内槽と、内槽の底部にパルセーターが取り付けられる；プログラム制御、温度及び湿度を監視するため、キャビネットの上部の制御盤座に取り付けられる制御システムと；を備える。前記外槽の底部に送風弁部材と、送風弁モーターと、を備える送風システムが設置され、外槽の底部に送風弁部材に接続されている送風口が開設され、前記乾燥モジュールの送風口は、接続管を介して送風弁部材に接続され、熱風経路が形成され、下部から上部へ内槽に送風され、前記制御システムは、送風弁部材のスイッチを制御する。
【００１１】
前記送風弁部材は、弁体と、弁プラグと、弁バネと、引張りバネと、弁管と、弁カバーと、連結アームと、を備え、前記弁体には、上、下、水平の３方向にノズルが設けられており、それぞれ外槽の送風口、接続管、弁カバーに接続されている。
【００１２】
前記連結アームの一端が引張りばねに接続され、他端が送風弁モーターに接続されている。
【００１３】
前記送風弁モーターが作動しないとき、前記弁体の下部管口が前記弁プラグによって遮断され、前記弁体の上部管口に導通しておらず、前記送風弁モーターが作動するとき、前記弁プラグや弁バネが圧縮されて短くなり、前記弁体の前記下部管口が前記弁体の前記上部管口に導通する。
【００１４】
前記接続管は、エチレンプロピレンジエンモノマー（ＥＰＤＭ）の耐熱材料が用いられる。
【００１５】
本発明は、また別の技術的解決策に記載されているパルセーター式洗濯機に関する。さらに、上記の解決策に基づいて、乾燥モジュールの送風口は２つの通路、即ち上部送風口と下部送風口に分岐され、下部送風口は前記外槽の底にある送風システムに接続され、下部から上部へ内槽に送風する。上部送風口が内槽に連通し、上から下へ内槽に送風し、３次元の送風を形成し、衣類を全方向から乾燥させる。
【００１６】
本発明は、槽の底部から送風する洗浄乾燥一体型パルセーター式洗濯機の制御方法に関するものであり、洗浄プログラムと、すすぎプログラムと、脱水プログラムと、乾燥プログラムと、を含み、ユーザが乾燥機能を選択するとき、前記乾燥プログラムには次のステップが含まれる、即ち、
Ｈ１、前記乾燥プログラムが起動し、前記乾燥モジュールが作動を開始して、熱風が発生する；
Ｈ２、同時に前記制御システムがコマンドを発信し、前記送風弁モーターが作動し、前記送風弁部材が開かれる；
Ｈ３、熱風が前記熱風経路を通って下部から上部へ内槽に送風され、衣類を乾燥させる；
Ｈ４、前記制御システムは、乾燥が完了するまで乾燥の度合を監視する。
【００１７】
本発明は、また槽の底部から送風する洗浄乾燥一体型パルセーター式洗濯機の制御方法に関するものであり、洗浄プログラムと、すすぎプログラムと、脱水プログラムと、乾燥プログラムと、を含み、前記洗浄プログラムが加熱洗濯機能を有し、ユーザが加熱洗濯機能を選択するとき、前記洗浄プログラムには以下のステップが含まれる、即ち、
Ｘ１、前記洗浄プログラムが起動し、前記乾燥モジュールが作動して熱風を発生する；
Ｘ２、同時に前記制御システムがコマンドを発信し、前記送風弁モーターが作動し、前記送風弁部材が開かれる；
Ｘ３、熱風が前記熱風経路を通って下部から上部へ内槽に送風され、槽内の洗浄水を加熱する；
Ｘ４、前記制御システムは、洗浄水の温度を監視して、設定値３０℃に到達したとき、洗浄が開始する。
【００１８】
前記制御システムが送風の風速を制御し、風力の大きさが水位の高さによって決められ、風力の範囲は３Ｎ〜１０Ｎである。
【００１９】
さらに、温度センサと、湿度センサをさらに備え、前記乾燥モジュールが作動するとき、前記温度センサは、内槽内の温度をリアルタイムで検出し、温度が設定値６０℃を超えると、制御システムが乾燥モジュールの排気温度を下げるか、乾燥モジュールが動作を停止し、湿度センサの抵抗値が無限に達するとき、乾燥モジュールは動作を停止する。
【発明の効果】
【００２０】
上記の技術的解決策を採用することによって、本発明は、構造における熱気口の構造および空気経路を改善し、制御システムを改善するので、衣類を乾燥するとき、衣類を効果的にタンブルし、乾燥効率を改善し、衣類のしわを減らし、ユーザの個別のニーズを満足することができる。また、洗浄時、熱風が下部から上部へ流れる温風機能を選択してもよく、粉末洗剤や洗剤の溶解を促進し、衣類の洗浄率を向上させることができる。
【図面の簡単な説明】
【００２１】
以下、図面および具体的な実施形態を用いて本発明を詳細に説明する。
【００２２】
【図１】洗浄乾燥一体型パルセーター式洗濯機の従来技術の簡略構造図である。
【図２】本発明に係る洗浄乾燥一体型パルセーター式洗濯機の槽体アセンブリの概略正面図である。
【図３】本発明に係る洗浄乾燥一体型パルセーター式洗濯機の槽体アセンブリの概略平面図である。
【図４】本発明に係る洗浄乾燥一体型パルセーター式洗濯機の槽体アセンブリの概略底面図である。
【図５】本発明に係る洗浄乾燥一体型パルセーター式洗濯機の槽体アセンブリの概略断面図である。
【図６】本発明に係る洗浄乾燥一体型パルセーター式洗濯機の送風弁の概略正面図である。
【図７】本発明に係る洗浄乾燥一体型パルセーター式洗濯機の送風弁の概略平面図である。
【図８】本発明に係る洗浄乾燥一体型パルセーター式洗濯機の送風弁の取付方向の概略断面図である。
【発明を実施するための形態】
【００２３】
次に、図面を併せて本発明に係る洗浄乾燥一体型パルセーター式洗濯機の実施形態の技術的解決策を詳細に説明する。
【００２４】
最適実施例
本発明の特許出願では、送風は、熱風が乾燥モジュールから内槽に流入されることを指し、排気は、空気が内槽を出て乾燥モジュールに戻るか、または直接機外に排出されることを指す。
【００２５】
槽の底部から送風する洗浄乾燥一体型パルセーター式洗濯機は、パルセーターの支持部材としてのキャビネットと、頂部に進水口と、送風口及び排気口と、を有する乾燥モジュールを有し、底部に排水システムと、駆動システムと、を有し、キャビネット内に配置された外槽と、底部にパルセーターが取り付けられ、前記外槽内に配置された内槽と、キャビネットの上部の制御盤座に取り付けられ、プログラム制御、温度及び湿度を監視するための制御システムと、を備える。キャビネット、制御盤座、パルセーター等の従来技術と通用の構造は図示を省略している。
【００２６】
図２〜図５に示された洗浄乾燥一体型パルセーター式洗濯機の槽体アセンブリの正面、平面、底面、および断面概略図を参照して、槽の底部から送風する洗浄乾燥一体型パルセーター式洗濯機の槽体アセンブリを詳細に説明する。
【００２７】
外槽アセンブリは、外槽１と、内槽２と、パルセーター、などを備え、外槽１の上部に乾燥モジュール３が設置され、乾燥モジュール３は、加熱部材と、送風口４と、エアーアウトレット５、などを有する。外槽の外底部には排水システムと、送風システムと、が設置されている。外槽１の底面には、送風システムに接続された管口が設けられている。送風システムは、送風弁部材８と、送風弁モーター９と、を備える。乾燥モジュール３の送風口４は、接続管７を介して送風弁部材８に接続されている。接続管７は、熱風を輸送し、耐熱性材料、例えばエチレンプロピレンジエンモノマー（ＥＰＤＭ）を選択する。
【００２８】
図５〜図８に示すように、送風システムについて記載している。送風弁部材８は、弁体８１を備え、弁体８１には３つの開口が設けられており、それぞれは外槽の底部の送風口に接続された前記弁体の上部管口８１１と、接続管７に接続された下部管口８１２と、弁カバー８６が設置されている水平管口８１３と、であり、弁体８１の水平管部分には、弁プラグ８７と、弁バネ８３と、弁管８４と、引張りバネ８５と、が設置されている。連結アーム８２の一端は引張りバネ８５に接続され、他端は送風弁モーター９に接続されている。
【００２９】
洗浄乾燥一体型パルセーター式洗濯機は乾燥、加熱機能が起動しない場合、送風弁モーター９は動作せず、前記弁体の下部管口８１２は、前記弁プラグ８７によって遮断され、前記弁体の上部管口８１１と連通していない。洗浄乾燥一体型パルセーター式洗濯機は乾燥、加熱機能が起動されるとき、送風弁モーター９が作動し、弁プラグ８７と、弁バネ８３と、が圧縮されて短くなり、前記弁体の下部管口８１２が前記弁体の上部管口８１１に導通され、乾燥モジュールで発生した熱風は、送風口４、接続管７、送風弁部材８を通って外槽１の底部から内槽に流入する。
【００３０】
本発明は、槽の底部から送風する洗浄乾燥一体型パルセーター式洗濯機の制御方法に関する。洗浄プログラムと、すすぎプログラムと、脱水プログラムと、乾燥プログラムと、を含む。ユーザが乾燥機能を選択すると、下部から上部へ内槽に送風され、衣類を乾燥させる。即ち、前記乾燥プログラムには以下のステップが含まれる。Ｈ１、乾燥プログラムが起動し、前記乾燥モジュールが動作を開始し、熱風が発生する。Ｈ２、同時に、前記制御システムがコマンドを発信し、前記送風弁モーターが作動し、前記送風弁部材が開けられる。Ｈ３、熱風が前記熱風経路を通って下部から上部へ内槽に送風され、衣類を乾燥させる。Ｈ４、制御システムは乾燥が完了するまで乾燥の度合いを監視する。洗浄乾燥一体型パルセーター式洗濯機には、温度センサと湿度センサとが取り付けられ、乾燥モジュールが動作するとき、温度センサは、内槽の温度をリアルタイムで検出し、槽内の温度が６０℃を超えると検出されると、センサがアラームを出し、制御システムは、乾燥モジュールの排気温度を下げるか、乾燥モジュールの作動を停止する。また、乾燥プロセスでは、湿度センサの抵抗が無限に達すると、衣類が乾燥したと表示し、乾燥モジュールの動作が停止する。乾燥モジュールの動作が続くと、センサが警告を出す。湿度センサの動作原理は、水蒸気がある場合は抵抗値がオンになり、水蒸気がない場合は抵抗値が無限になるということである。
【００３１】
本発明は、槽の底部から送風する洗浄乾燥一体型パルセーター式洗濯機の制御方法に関する。洗浄プログラムと、すすぎプログラムと、脱水プログラムと、乾燥プログラムと、を含む。ユーザが加熱洗浄機能を選択すると、下部から上部へ内槽に送付され、槽内の水を加熱し、衣類を洗浄する。即ち、ユーザが加熱洗浄機能を選択すると、前記洗浄プログラムには以下のステップが含まれる。Ｘ１、洗濯プログラムが起動し、乾燥モジュールが動作を開始し、熱風が発生する。Ｘ２、同時に前記制御システムがコマンドを発信し、前記送風弁モーターが作動し、前記送風弁部材が開かれる。Ｘ３、熱風は前記熱風経路を通って、下部から上部へ内槽に送風され、槽内の洗浄水を加熱する。Ｘ４、前記制御システムは洗浄水を監視し、温度が３０℃に達すると、洗浄が開始する。同様に、温度センサは内槽の温度をリアルタイムで検出し、槽内の温度が６０℃を超えると検出されると、センサが警告を発し、制御システムが乾燥モジュールの排気温度を下げるか、乾燥モジュールの電源をオフにして動作を停止する。
【００３２】
洗浄乾燥一体型パルセーター式洗濯機の洗浄時、乾燥モジュールと送風システムが働き、熱風が槽の底部に送られ、洗濯水を加熱して洗濯粉や洗濯液を完全に溶かす。
【００３３】
実施例２
本発明は、また別の技術的解決策に記載されている槽の底部から送風する洗浄乾燥一体型パルセーター式洗濯機に関する。即ち、従来技術と本発明に適用される技術とを有機的に組み合わる。即ち、従来技術の乾燥モジュールに基づいて、送風口は２つの経路、即ち上部送風口と下部送風口に分岐され、下部送風口は前記外槽の底部の送風システムに接続され、下部から上部へ内槽に送風されている。上部送風口は内槽に連通し、上部から下部へ内槽に送風され、３次元の送風が形成され、衣類を全方向から乾燥させる。
【００３４】
第２実施例に係るパルセーター式洗濯機の制御方法は、最適の実施例の制御方法と同じである。
【００３５】
以上説明したように、槽の底部から送風する洗浄乾燥一体型パルセーター式洗濯及び制御方法を用いて、洗浄／乾燥プロセスで槽の下部から送風し、洗浄／乾燥を行い、きれいに洗浄でき、高い乾燥効率を達成し、衣類のしわを減らすことができる。
【００３６】
勿論、本発明は上記の事例に限定されるものではない。送風口の装置を単純に変更し、加熱洗浄プログラム及び乾燥プログラムをそれぞれ組み合わせ、当業者にとって明らかな技術的解決策であり、本発明の槽の底から送風し加熱する宗旨や範囲を逸脱しない場合、本発明に対するそのような修正および変更は、本発明の特許請求の範囲内および同等の代替物の範囲内にあり、本発明は、そのような修正および変更をカバーする。
【００３７】
符号の説明
１      外槽
２      内槽
３      乾燥モジュール
４      送風口
５      エアーアウトレット
６      給水口
７      接続管
８      送風弁部材
８１    弁体
８１１  上部管口
８１２  下部管口
８１３  水平管口
８２    連結アーム
８３    弁バネ
８４    弁管
８５    引張りバネ
８６    弁カバー
８７    弁プラグ
９      送風弁モーター
１０    排水弁部材
１１    排水弁モーター
【図１】
2021504012.tif 000003
【図２】
2021504012.tif 000004
【図３】
2021504012.tif 000005
【図４】
2021504012.tif 000006
【図５】
2021504012.tif 000007
【図６】
2021504012.tif 000008
【図７】
2021504012.tif 000009
【図８】
2021504012.tif 000010
【国際調査報告】
2021504012.tif 000011
2021504012.tif 000012
2021504012.tif 000013
2021504012.tif 000014